【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
（ａ）一般式（１）のシラノール末端ジオルガノポリシロキサン：
【化１】
2020511567.tif 000001
ここでＲ１およびＲ２は独立して、最大約１２個の炭素原子を含む一価の炭化水素ラジカルであり、そして下付き文字ｎは、シラノール末端ジオルガノポリシロキサンの粘度が５０から１，０００，０００ｃｐｓになるような値であり；
（ｂ）不透明な補強充填剤；
（ｃ）一般式（２）のポリアルコキシシラン架橋剤：
（Ｒ１Ｏ）４−ａ（Ｒ２）ａＳｉ    （２）
ここでＲ１およびＲ２は定義通りであり、そして下付き文字ａは０または１であり；
（ｄ）縮合硬化触媒；
（ｅ）一般式（６）の有機官能性アルコキシシラン接着促進剤
（Ｒ１０Ｏ）４−ａ（Ｒ１１）ａＳｉＸ    （６）
ここでＲ１０およびＲ１１は独立して、最大約１２個の炭素原子を含む一価の炭化水素ラジカルであり、そして下付き文字ａは定義通りであり、そしてＸは最大１２個の炭素原子の有機基であり；ならびに
（ｆ）一般式（７）の環状シロキサン：
【化２】
2020511567.tif 000002
ここでＲ１２およびＲ１３は、独立して、１から４個の炭素原子の直鎖または分岐アルキルラジカルであり、そして下付き文字ｘは約３から約１０である、
を含む、不透明な一成分型室温加硫シリコーンポリマー組成物。
【請求項２】
一般式（Ｉ）のシラノール末端ポリジメチルシロキサン（ａ）のＲ１およびＲ２は、それぞれ独立してメチルまたはエチルであり、そして下付き文字ｎは約３００から約４，０００である、請求項１に記載のシリコーンポリマー組成物。
【請求項３】
不透明な補強充填剤（ｂ）は、未処理またはステアリン酸処理の粉砕、沈降またはコロイド状の炭酸カルシウム、アルミナ、水酸化アルミニウム、水酸化チタン、粘土、珪藻土、酸化鉄、カーボンブラックグラファイトおよびそれらの組み合わせからなる群から選択される、請求項１に記載のシリコーンポリマー組成物。
【請求項４】
一般式（２）のポリアルコキシシラン架橋剤（ｃ）のＲ１は、最大約４個の炭素原子を含む直鎖または分岐炭化水素ラジカルであり、そして下付き文字ａは０である、請求項１に記載のシリコーンポリマー組成物。
【請求項５】
縮合硬化触媒（ｄ）は一般式（３）のものであり、
【化３】
2020511567.tif 000003
ここでＭｅは、鉛、スズ、ジルコニウム、アンチモン、鉄、カドミウム、バリウム、マンガン、亜鉛、コバルト、ニッケル、アルミニウム、ガリウム、ゼラニウムおよびチタンからなる群から選択される金属であり、下付き文字ｓは約０．７から約１．３であり、そして下付き文字ｔは０．８から１．２であり、Ｒ７は、２個から約２０個の炭素原子を含み、任意にて８個までの炭素原子を含む炭化水素基で置換されている二価炭化水素ラジカルであり、Ｒ３は、水素またはそれぞれ最大８個の炭素原子を含むヒドロカルビル、ハロヒドロカルビルおよびアシルからなる群から選択される有機ラジカルであり、Ｒ４はＲ３と同じ、または隣接するＲ３および／またはＲ５基の炭素原子への結合によって形成された環状炭化水素基の一部であり、ここで環状炭化水素基は最大１２個の炭素原子を含み、クロロ、ニトロ、エステル、シアノ、およびカルボキシエステル置換基からなる群から選択される１つ以上の官能基で任意に置換され、Ｒ５はＲ３と同じように定義され、Ｒ６は、最大６０個の炭素原子を含むヒドロカルビル、ハロヒドロカルビルおよびエーテル、最大１２個の炭素原子を含むシアノアルキル、アミノ、ならびに式（ＣｑＨ２ｑＯ）ｖＲ８のポリエーテル基、ここでｑは２から４であり、そしてｖは１から２０であり、そしてＲ８は、１から３０個の炭素原子の一価の炭化水素ラジカルである、からなる群から選択される一価の有機ラジカルである、請求項１に記載のシリコーンポリマー組成物。
【請求項６】
縮合硬化触媒（ｄ）は一般式（４）のものであり、
【化４】
2020511567.tif 000004
ここでＲ９はメチルまたは−ＯＣ２Ｈ５である、請求項１に記載のシリコーンポリマー組成物。
【請求項７】
縮合硬化触媒（ｄ）は式（５）のものである、
【化５】
2020511567.tif 000005
請求項１に記載のシリコーンポリマー組成物。
【請求項８】
一般式（６）の有機官能性アルコキシシラン接着促進剤（ｅ）は、１，３，５−トリス（トリメトキシシリルプロピル）イソシアヌレート、メタクリルオキシプロピルトリメトキシシラン、グリシドキシプロピルエチルジメトキシシラン、γ−グリシドキシプロピルトリメトキシシラン、γ−グリシドキシエチルトリメトキシシラン、β−（３，４−エポキシシクロヘキシル）プロピルトリメトキシシラン、β−（３，４−エポキシシクロヘキシル）エチルメチルジメトキシシラン、イソシアナトプロピルトリエトキシシラン、イソシアナトプロピルメチルジメトキシシラン、β−シアノエチルトリメトキシシラン、γ−アクリルオキシプロピルトリメトキシシラン、γ−メタクリロキシプロピルメチルジメトキシシラン、ｎ−２−アミノエチル−３−アミノプロピルトリメトキシシラン、ｎ−２−アミノエチル−３−アミノプロピルトリエトキシシラン、γ−アミノプロピルトリエトキシシラン、γ−アミノプロピルトリメトキシシラン、アミノプロピルトリメトキシシラン、ビス−γ−（トリメトキシシリル）プロピルアミン、Ｎ−フェニル−γ−アミノプロピルトリメトキシシラン、トリアミノ官能性トリメトキシシラン、γ−アミノプロピルメチルジエトキシシラン、γ−アミノプロピルメチルジエトキシシラン、メチルアミノプロピルトリメトキシシラン、およびそれらの組み合わせからなる群から選択される、請求項１に記載のシリコーンポリマー組成物。
【請求項９】
一般式（７）の環状シロキサンは、ヘキサメチルシクロトリシロキサン、オクタメチルシクロテトラシロキサン、ドデカメチルシクロヘキサシロキサンおよびそれらの組み合わせからなる群から選択される、請求項１に記載のシリコーンポリマー組成物。
【請求項１０】
顔料、可塑剤、チキソトロープ、酸化防止剤、紫外線安定剤、水分捕捉剤、界面活性剤、溶媒または殺生物剤の少なくとも１つをさらに含む、請求項１に記載のシリコーンポリマー組成物。
【請求項１１】
請求項１に記載のシリコーンポリマー組成物を含む塗料またはコーティング。
【請求項１２】
塗料が外部シリコーントリム塗料である、請求項１５に記載の塗料。
【請求項１３】
請求項１に記載のシリコーンポリマー組成物の連続生産のための方法であって、
（Ｉ）シラノール末端オルガノポリシロキサン（ａ）および補強充填剤（ｂ）を高密度化装置で混合すること；
（ＩＩ）高密度化装置の混合内容物を押出機装置に添加すること；
（ＩＩＩ）ポリアルコキシシラン架橋剤（ｃ）、縮合硬化触媒（ｄ）、有機官能性アルコキシシラン接着促進剤（ｅ）および環状シロキサン（ｆ）を、添加工程（ＩＩ）の下流の時点で押出機装置に添加すること；
（ＩＶ）工程（ＩＩＩ）の内容物を押し出すこと；ならびに
（Ｖ）工程（ＩＩＩ）の後で工程（ＩＶ）の前または工程（ＩＶ）の間および／または後の時点で脱気真空を適用して請求項１に記載のシリコーンポリマー組成物を製造すること、
ここで工程（Ｉ）−（Ｖ）は、工程（Ｉ）−（Ｖ）を少なくとも２回繰り返すのに十分な期間行われ、任意にてそのように製造されたシリコーンポリマー組成物を硬化させて、シリコーンポリマー組成物を含む硬化コーティング組成物を形成すること、
を含む方法。